【手続補正書】
【提出日】平成24年3月14日(2012.3.14)
【手続補正１】
【補正対象書類名】明細書
【補正対象項目名】発明の名称
【補正方法】変更
【補正の内容】
【発明の名称】携帯電話システムおよび端末装置
【手続補正２】
【補正対象書類名】明細書
【補正対象項目名】０００１
【補正方法】変更
【補正の内容】
【０００１】
この発明は、携帯電話と端末装置とからなる携帯電話システム、ならびに、端末装置に関する。
【手続補正３】
【補正対象書類名】明細書
【補正対象項目名】０００７
【補正方法】変更
【補正の内容】
【０００７】
この発明の目的は、携帯電話を取り出して確認しなくても、未読メール数或いは未確認の不在着信数を容易に把握することのできる携帯電話システムならびに端末装置を提供することにある。
【手続補正４】
【補正対象書類名】明細書
【補正対象項目名】０００８
【補正方法】変更
【補正の内容】
【０００８】
上記目的を達成するため、請求項１記載の発明は、
無線により通話が可能な携帯電話と、端末装置とからなり、前記携帯電話に着信があった場合に短距離無線通信により前記携帯電話から前記端末装置へ着信情報を送信し、この着信情報に基づき前記端末装置で着信に関する動作を行うように構成された携帯電話システムにおいて、
前記携帯電話には、
着信があった場合に、未読メール数或いは未確認の不在着信件数の情報を送信する第１の送信制御手段と、
当該携帯電話にて、所定の操作入力により未読メール或いは未確認の不在着信情報の表示動作が行われた際に、この表示動作後の未読メール数或いは未確認の不在着信件数の情報を送信する第２の送信制御手段と、
が設けられ、
前記端末装置には、
前記第１の送信制御手段および前記第２の送信制御手段により送信された前記未読メール数或いは未確認の不在着信件数の情報を受信する受信手段と、
前記受信手段により受信された未読メール数或いは未確認の不在着信件数の情報を表示する表示手段と、
を備えたことを特徴とする。
【手続補正５】
【補正対象書類名】明細書
【補正対象項目名】００１３
【補正方法】変更
【補正の内容】
【００１３】
請求項６記載の発明は、
携帯電話と短距離無線通信により情報の送受信を行う通信手段と、
この通信手段を介して前記携帯電話から未読メール数或いは未確認の不在着信件数の情報を受信する受信手段と、
該受信手段により未読メール数或いは未確認の不在着信件数の情報が受信された場合に当該未読メール数或いは未確認の不在着信件数の情報を記憶する記憶制御手段と、
該記憶制御手段により記憶された未読メール数或いは未確認の不在着信件数の情報を表示する表示手段と、
を備えていることを特徴とする端末装置である。
【手続補正６】
【補正対象書類名】明細書
【補正対象項目名】００１４
【補正方法】変更
【補正の内容】
【００１４】
請求項７記載の発明は、請求項６記載の端末装置において、
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴としている。
【手続補正７】
【補正対象書類名】明細書
【補正対象項目名】００１５
【補正方法】変更
【補正の内容】
【００１５】
請求項８記載の発明は、請求項６記載の端末装置において、
前記表示手段により未読メール数或いは未確認の不在着信件数の情報が常に表示される動作モードを有していることを特徴としている。
【手続補正８】
【補正対象書類名】明細書
【補正対象項目名】００１６
【補正方法】変更
【補正の内容】
【００１６】
本発明に従うと、携帯電話から端末装置に適宜なタイミングに未読メール数或いは未確認の不在着信件数の情報が送られて、端末装置でこれらの情報が表示されることになる。従って、ユーザはこれらの表示情報から未読メール数或いは未確認の不在着信件数を把握することができるという効果がある。
【手続補正９】
【補正対象書類名】特許請求の範囲
【補正対象項目名】全文
【補正方法】変更
【補正の内容】
【特許請求の範囲】
【請求項１】
無線により通話が可能な携帯電話と、端末装置とからなり、前記携帯電話に着信があった場合に短距離無線通信により前記携帯電話から前記端末装置へ着信情報を送信し、この着信情報に基づき前記端末装置で着信に関する動作を行うように構成された携帯電話システムにおいて、
前記携帯電話には、
着信があった場合に、未読メール数或いは未確認の不在着信件数の情報を送信する第１の送信制御手段と、
当該携帯電話にて、所定の操作入力により未読メール或いは未確認の不在着信情報の表示動作が行われた際に、この表示動作後の未読メール数或いは未確認の不在着信件数の情報を送信する第２の送信制御手段と、
が設けられ、
前記端末装置には、
前記第１の送信制御手段および前記第２の送信制御手段により送信された前記未読メール数或いは未確認の不在着信件数の情報を受信する受信手段と、
前記受信手段により受信された未読メール数或いは未確認の不在着信件数の情報を表示する表示手段と、
を備えたことを特徴とする携帯電話システム。
【請求項２】
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴とする請求項１記載の携帯電話システム。
【請求項３】
前記第２の送信制御手段は、
前記携帯電話にて未読メール或いは未確認の不在着信情報の表示動作が行われた後、この表示動作を終了する操作が行われたことに基づき、前記表示動作の後の未読メール数或いは未確認の不在着信件数の情報を送信することを特徴とする請求項１記載の携帯電話システム。
【請求項４】
前記携帯電話には、
操作キーを外側に露出した状態から内側に隠した状態に開閉する開閉機構およびこの開閉を検知する開閉検出手段が設けられ、
前記第２の送信制御手段は、
前記携帯電話にて未読メール或いは未確認の不在着信情報の表示動作が行われた後、前記開閉検出手段により開閉機構が閉じられたことが検知されたことに基づき、前記表示動作の後の未読メール数或いは未確認の不在着信件数の情報を送信することを特徴とする請求項１記載の携帯電話システム。
【請求項５】
前記第２の送信制御手段は、
前記携帯電話にて未読メール或いは未確認の不在着信情報の表示動作が行われた後、所定時間の操作入力が行われなかったことに基づき、前記表示動作の後の未読メール数或いは未確認の不在着信件数の情報を送信することを特徴とする請求項１記載の携帯電話システム。
【請求項６】
携帯電話と短距離無線通信により情報の送受信を行う通信手段と、
この通信手段を介して前記携帯電話から未読メール数或いは未確認の不在着信件数の情報を受信する受信手段と、
該受信手段により未読メール数或いは未確認の不在着信件数の情報が受信された場合に当該未読メール数或いは未確認の不在着信件数の情報を記憶する記憶制御手段と、
該記憶制御手段により記憶された未読メール数或いは未確認の不在着信件数の情報を表示する表示手段と、
を備えていることを特徴とする端末装置。
【請求項７】
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴とする請求項６記載の端末装置。
【請求項８】
前記表示手段により未読メール数或いは未確認の不在着信件数の情報が常に表示される動作モードを有していることを特徴とする請求項６記載の端末装置。